(57)【特許請求の範囲】
【請求項１】
ハウジングが備えるキャビティの端子挿入口を空栓で塞ぎ、前記端子挿入口から前記キャビティ内への異物の進入を防止する異物進入防止構造であって、
前記キャビティ内の端子に係止して前記キャビティからの端子の離脱を規制する可撓片と、
前記可撓片の撓みを規制するリアホルダと、
前記リアホルダに設けられて、前記端子挿入口から前記キャビティ内に侵入した当接部と、
前記可撓片と前記当接部とに挟み込まれて前記キャビティ内に収容され、前記端子挿入口を塞いだ前記空栓とを備えることを特徴とする異物進入防止構造。
【請求項２】
前記可撓片は、前記キャビティの周壁に形成された開口から前記キャビティ内に臨み、
前記リアホルダは、前記開口を外方から覆って、前記ハウジングに取り付けられ、前記開口から前記キャビティの外方へ向けて前記可撓片の撓みを規制することを特徴とする請求項１に記載の異物進入防止構造。
【発明の詳細な説明】
【技術分野】
【０００１】
本発明は、ハウジングが備えるキャビティの端子挿入口を空栓で塞ぎ、端子挿入口からキャビティ内への異物の進入を防止する異物進入防止構造に関する。
【背景技術】
【０００２】
従来、この種の異物進入防止構造を備えるコネクタとしては、下記の特許文献１に記載の防水コネクタが開示されている。この防水コネクタは、ハウジングに備えられた複数のキャビティのうちの端子金具を挿入しないキャビティの端子挿入口をダミー栓で塞ぐようになっている。キャビティには、端子金具を係止するためのランスが設けられている。ダミー栓は、端子挿入口を通してキャビティに挿入される。ダミー栓は、キャビティ内でランスに係止される被係止部を先端部に、被係止部がランスに係止されるとコネクタの後面に密着する鍔を後端部に、それぞれ備えている。
【０００３】
【特許文献１】特開２００４−６３１７９号公報
【発明の開示】
【発明が解決しようとする課題】
【０００４】
上記従来の異物進入防止構造構造では、ダミー栓の周面を端子挿入口の内面に密着させてシールしているため、ダミー栓を端子挿入口に強い力で押し込む必要があり、押込力が弱いと被係止部がランスに係止するまでダミー栓を端子挿入口に十分に挿入させられなかった。このため、端子挿入口からの異物の混入を十分に防げない虞が大きかった。
【０００５】
本発明は、上記した点に鑑み、端子挿入口からキャビティへの異物の混入を十分に防ぐことができる異物進入防止構造を提供することを目的とする。
【課題を解決するための手段】
【０００６】
このような目的を達成するために、本発明の異物進入防止構造は、ハウジングが備えるキャビティの端子挿入口を空栓で塞ぎ、前記端子挿入口から前記キャビティ内への異物の進入を防止する異物進入防止構造であって、前記キャビティ内の端子に係止して前記キャビティからの端子の離脱を規制する可撓片と、前記可撓片の撓みを規制するリアホルダと、前記リアホルダに設けられて、前記端子挿入口から前記キャビティ内に侵入した当接部と、前記可撓片と前記当接部とに挟み込まれて前記キャビティ内に収容され、前記端子挿入口を塞いだ前記空栓とを備えることを特徴とする。
また、本発明は、前記可撓片が、前記キャビティの周壁に形成された開口から前記キャビティ内に臨み、前記リアホルダが、前記開口を外方から覆って、前記ハウジングに取り付けられ、前記開口から前記キャビティの外方へ向けて前記可撓片の撓みを規制することを特徴とする。
【発明の効果】
【０００７】
本発明によれば、当接部と可撓片とで挟み込んで空栓をキャビティ内に確実に収納できることから、端子挿入口からキャビティへの異物の混入を十分に防ぐことができる。
【発明を実施するための最良の形態】
【０００８】
以下、図面を参照して、本発明の第１の実施形態を説明する。
図１は、本実施形態のコネクタを示す図であり、（ａ）は正面図，（ｂ）は（ａ）のＡ−Ａ線断面図である。なお、以下の説明で用いる上下，前後，左右の各方向は説明に用いる各図に示している。この上下，前後，左右は説明のために記載したもので、実際の配置と異なってよいことはもちろんである。
【０００９】
コネクタ２は、雌コネクタであり、複数（本実施形態では３つ）のキャビティ２１を備えている。各キャビティ２１は、略矩形の開口形状を有しており、端子Ｔ（図５〜図７参照）の挿入される端子挿入口をコネクタ２の後面に開口させている。各キャビティ２１の前壁には、雄コネクタの端子接続部の挿通される挿通孔２１ａが形成されている。キャビティ２１の上壁には、ランス収容孔２１ｂが形成されており、このランス収容孔２１ｂにはランス収容孔２１ｂの後縁からランス２２が臨んでいる。ランス２２の前端面は、キャビティ２１内の端子Ｔに係止してキャビティ２１からの端子Ｔの離脱を規制する係止面２２ａを構成している。また、ランス２２の下面には、キャビティ２１の前側に端子Ｔを導く案内面２２ｂが設けられている。
【００１０】
キャビティ２１の上方には、後述するリアホルダ３の挿通片３２の挿通する挿通口２３が形成されている。挿通口２３は、コネクタ２の後端側から前端側にかけて延びており、各ランス収容孔２１ｂの上方とランス２２の形成位置より後側の各キャビティ２１とを連通している。ランス２２の後方に位置する挿通口２３の上壁には、係止突起２５が形成されている。係止突起２５は、挿通口２３の左右の幅方向の中央部に位置しており、後述するリアホルダ３の被係止突起３２ａを係止して、挿通口２３の後方へのリアホルダ３の移動を規制する。係止突起２５の形成位置より後方に位置する挿通口２３の上壁には、係止孔２４が形成されている。係止孔２４は、挿通口２３の左右の幅方向の中央部に位置しており、後述するリアホルダ３の被係止突起３１ａを係止して挿通口２３の後方へのリアホルダ３の移動を規制する。
【００１１】
図２は、図１に示すコネクタ２の挿通口２３に挿入されるリアホルダ３を示す図であり、（ａ）は前方からの斜視図，（ｂ）は右側面図，（ｃ）は正面図である。リアホルダ３は、略矩形の平板状の挿通片３２と、挿通片３２の後縁から後方に延びる略四角ブロック状の当接部３１とを備えている。挿通片３２の上面の中央部には、被係止突起３２ａが形成されている。被係止突起３２ａは、コネクタ２の係止突起２５に係止されて挿通口２３の後方へのリアホルダ３の移動を規制する。挿通片３２の後縁部は、肉薄に形成されて可撓性を付与されており、肉薄部が撓むことにより図２に実線で示す状態と破線で示す状態とで当接部３１が揺動自在となっている。当接部３１の上面の中央部には、被係止突起３１ａが形成されている。被係止突起３１ａは、コネクタ２の係止孔２４に係止されて挿通口２３の後方へのリアホルダ３の移動を規制する。
【００１２】
図３は、コネクタ２が備えるキャビティ２１の端子挿入口を塞ぐ空栓１を示す右前方からの斜視図である。図４は、図３に示す空栓１を示す図であり、（ａ）は平面図，（ｂ）は左側面図，（ｃ）は正面図である。空栓１は、３つあるキャビティ２１のうち、端子Ｔを収納しないキャビティ２１に端子Ｔの代わりに収納される。空栓１は、ポリアミド６６等のポリアミド樹脂から形成されており、略四角ブロック状の本体１１の上面に、膨出部１２を備えた形状を呈している。なお、空栓１の材質としては、耐油，耐熱に優れていることから、ポリエチレン樹脂を用いることが好ましい。膨出部１２は、本体１１の前端部のやや後方寄りから、前後方向の中央部の後端寄りにかけて、左右の両側間に亘って形成されている。膨出部１２の前面は、下端から上端にかけて、後方に向けて傾斜した傾斜面１２ａとなっている。また、後面は、下端から上端にかけて、本体１１の上面に対して略垂直に延びて被係止面１２ｂを構成している。なお、空栓１は、後述するコネクタ５が備えるキャビティ５１の端子挿入口を塞ぐのに用いることもできる。
【００１３】
空栓１の前端から後端にかけての外形は、ランス２２の基端部の形成位置から、当接部３１の収納された後端までのキャビティ２１の外形とほぼ等しい形状を有しており、キャビティ２１の外形よりもやや大きく形成されている。具体的には、空栓１は、キャビティ２１の左右の幅よりも幅広に形成されている。また、膨出部１２の前端側から本体１１の前端にかけての高さが、ランス２２の基端部でのキャビティ２１の下面からランス２２の下面までの高さよりやや高く形成されている。また、膨出部１２より後側の本体１１の高さは、キャビティ２１の下面からキャビティ２１に収納された当接部３１の下面までの高さよりもやや高く形成されている。
【００１４】
図５は、挿通口２３にリアホルダ３を挿入されたコネクタ２と空栓１とを示す図であり、（ａ）は後方からの斜視図，（ｂ）は背面図，（ｃ）は図１（ａ）のA−A線断面図である。図６及び図７は、キャビティ２１を空栓１で塞がれた図５のコネクタ２を示す図であり、（ａ）は後方からの斜視図，（ｂ）は背面図，（ｃ）は図１（ａ）のA−A線断面図，（ｄ）は図１（ａ）のＢ−Ｂ線断面図である。図８は、空栓１で塞がれたキャビティ２１を示す部分拡大背面図である。
【００１５】
キャビティ２１に空栓１を収納する場合には、図５に示すように、挿通口２３に挿通片３２を挿入されたリアホルダ３の当接部３１を上方に移動させてキャビティ２１の後端開口を後方に臨ませ、空栓１をキャビティ２１の後方に位置させる。そして、同図に矢印で示すように、空栓１を前端側からキャビティ２１内に押し込む。この操作により、空栓１がキャビティ２１内を前方に向けて移動する。空栓１の後端近傍までをキャビティ２１内に進入させた後、リアホルダ３を挿通口２３内に押し込み、当接部３１を下方に移動させてキャビティ２１内に収納する。この操作により、空栓１が備える膨出部１２の被係止面１２ｂが、当接部３１に押圧され、これに伴い空栓１がキャビティ２１内に押し込まれる。これにより、図６及び図７に示すように、空栓１がキャビティ２１内に収納され、キャビティ２１の端子挿入口を塞ぐ。
【００１６】
キャビティ２１に収納された空栓１は、図７（ｃ）に示すように、膨出部１２の被係止面１２ｂを当接部３１の前面に、また、膨出部１２の前端側から本体１１の前端にかけての上面をランス２２の基端側の下面に、それぞれ密着させている。また、ランス２２は、リアホルダ３の挿通片３２に上面を当接させて、キャビティ２１の外方への撓みを規制されている。これにより、ランス２２は、空栓１により加えられたランス収容孔２１ｂの外方へ向けての押圧力に抗して空栓１をキャビティ２１内に押さえ付ける力を働かせている。また、図８に示すように、空栓１は、上下，左右の各側面をキャビティ２１の内面に密着させている。
【００１７】
上記実施形態によれば、キャビティ２１の外方への撓みを規制されたランス２２と、端子挿入口からキャビティ２１内に侵入した当接部３１とに挟み込まれて、空栓１が端子挿入口を塞いでいることから、ランス２２との接触面及び当接部３１との接触面でキャビティ２１をシールすることができ、空栓１の周面とキャビティ２１の内面とでシールを行う場合に比べ、端子挿入口への異物の進入を効果的に防止することができる。
【００１８】
特に、コネクタ２を油中で用いる場合には、油中を浮遊する金属粉や金属異物がキャビティ２１内に進入し易いが、空栓１が導電性を有しないポリアミドやポリエチレン等の樹脂から形成されている場合には、例えば、銅合金等の導電性を有する材料を用いる場合のように、金属粉や金属異物によりキャビティ２１内の端子Ｔと空栓１との間でショートが生じるのを、防止することができる。
【００１９】
また、上記実施形態によれば、キャビティ２１に収納された空栓１がランス２２と当接部３１とに挟み込まれて端子挿入口を塞いでおり、ランス２２の前方まで空栓１を進入させる必要がないことから、ランス２２に係止させてキャビティ２１内からの脱落を防止する場合に比べ、空栓１を小型化することができる。しかも、キャビティ２１内への空栓１の押込量を少なく抑えることができ、キャビティ２１内への空栓１の挿入作業を簡略化することができる。また、キャビティ２１に空栓１を挿入する際の押込量が十分でない場合にも、端子挿入口からキャビティ２１内に進入した当接部３１により、空栓１がキャビティ２１内に押し込まれることから、当接部３１とランス２２とに挟み込まれる位置まで、空栓１をキャビティ２１内に確実に侵入させることができる。
【００２０】
また、上記実施形態によれば、空栓１の外形が、空栓１の収納位置のキャビティ２１の外形とほぼ等しい形状を有し、かつ、やや大きく形成されていることから、例えば、空栓１の代わりに電線をキャビティ２１内に挿入する場合に比べて、異物の進入を効果的に防止することができる。つまり、電線をキャビティ２１内に挿入した場合には、図８に枠Ｃで囲んだスペースからキャビティ２１内に異物が侵入することになるが、同図に示すようにキャビティ２１の上下左右の側壁と密着した空栓１によれば、異物の進入するスペースを削減して、異物の進入を効果的に防止することができる。
【００２１】
次に、本発明の第２の実施形態を説明する。
図９は、本実施形態の空栓４を示す右前方からの斜視図である。図１０は、図９に示す空栓４を示す図であり、（ａ）は平面図，（ｂ）は右側面図，（ｃ）は正面図である。空栓４は、略方形の断面形状を有した棒状体から構成されており、前後の長さ方向の中央部の前端寄りから後端部にかけてが、上面を下方に向けて凹状に窪ませた窪み部４ａとなっている。窪み部４ａより前側は前側係止部４１、後側は後側係止部４２となっている。前側係止部４１及び後側係止部４２の左右の側面には、上端から下端にかけて摘み溝４１ａ，４２ａが形成されている。前側係止部４１及び後側係止部４２は、コネクタ２及び後述するコネクタ５の、ランス２２，５２より前方に位置するキャビティ２１，５１の外形とほぼ等しい形状を有しており、キャビティ２１，５１の外形よりもやや大きく形成されている。
【００２２】
図１１は、挿通口２３にリアホルダ３を挿入されたコネクタ２と空栓４とを示す図であり、（ａ）は後方からの斜視図，（ｂ）は背面図，（ｃ）は図１（ａ）のＡ−Ａ線断面図である。図１２及び図１３は、キャビティ２１を空栓４で塞がれた図１１のコネクタ２を示す図であり、（ａ）は後方からの斜視図，（ｂ）は背面図，（ｃ）は図１（ａ）のＡ−Ａ線断面図，（ｄ）は図１（ａ）のＢ−Ｂ線断面図である。
【００２３】
コネクタ２のキャビティ２１に空栓４を収納する場合には、図１１に示すように、挿通口２３に挿通片３２を挿入されたリアホルダ３の当接部３１を上方に移動させてキャビティ２１の後端開口を後方に臨ませ、空栓４をキャビティ２１の後方に位置させる。そして、同図に矢印で示すように、空栓４を前側係止部４１側からキャビティ２１内に押し込む。この操作により、空栓４がキャビティ２１内を前方に向けて移動する。
【００２４】
後側係止部４２までをキャビティ２１内に進入させた後、リアホルダ３を挿通口２３内に押し込み、当接部３１を下方に移動させてキャビティ２１内に収納することにより、図１２及び図１３に示すように、空栓４がキャビティ２１内に収納される。キャビティ２１に収納された空栓４は、図１３（ｃ）に示すように、前側係止部４１の後端面をランス２２の係止面２２ａに係止されて、キャビティ２１の後方への移動を規制されている。また、ランス２２は、リアホルダ３の挿通片３２に上面を当接させており、キャビティ２１の外方への撓みを規制されている。これにより、ランス２２は、空栓４により加えられたランス収容孔２１ｂの外方へ向けての押圧力に抗して空栓４をキャビティ２１内に押さえ付ける力を働かせている。また、図８に示すように、空栓４は、上下，左右の各側面をキャビティ２１の内面に密着させている。
【００２５】
次に、端子Ｔを収納しないキャビティ５１に空栓１，４を収納するコネクタ５について説明する。
図１４は、コネクタ５を示す図であり、（ａ）は正面図，（ｂ）は（ａ）のＡ−Ａ線断面図である。コネクタ５は、コネクタ２に装着される雄コネクタであり、コネクタ２と同様に３つのキャビティ５１，ランス５２，挿通口５３，係止孔５４，及び係止突起５５を有しており、挿通口５３の前壁の前側には、相手方のコネクタ２の前端部を収納する収納部５６が備えられている。  
【００２６】
図１５は、挿通口５３にリアホルダ３を挿入されたコネクタ５と空栓４とを示す図であり、（ａ）は後方からの斜視図，（ｂ）は背面図，（ｃ）は図１４（ａ）のＡ−Ａ線断面図である。図１６及び図１７は、端子挿入口を空栓４で塞がれた図１５のコネクタ５を示す図であり、（ａ）は後方からの斜視図，（ｂ）は背面図，（ｃ）は図１４（ａ）のＡ−Ａ線断面図，（ｄ）は図１４（ａ）のＢ−Ｂ線断面図である。
【００２７】
コネクタ５のキャビティ５１に空栓４を収納する場合には、図１５に示すように、後端開口を後方に臨ませたキャビティ５１の後方に空栓４を位置させ、同図に矢印で示すように、空栓４を後側係止部４２側からキャビティ５１内に押し込み、前側係止部４１までをキャビティ５１内に進入させる。そして、リアホルダ３を挿通口５３内に押し込み、当接部３１を下方に移動させて挿通口５３内に収納する。これにより、図１６及び図１７に示すように、空栓４がキャビティ５１内に収納される。キャビティ２１に収納された空栓４は、図１７（ｃ）に示すように、後側係止部４２の後端面をランス２２の係止面２２ａに係止されて、キャビティ２１の後方への移動を規制されている。ランス２２は、リアホルダ３の挿通片３２に上面を当接させて、キャビティ２１の外方への撓みを規制され、空栓４をキャビティ５１内に押さえ付ける力を働かせている。また、空栓４は、上下，左右の各側面をキャビティ５１の内面に密着させている。
【００２８】
上記実施形態によれば、キャビティ２１，５１の外方への撓みをリアホルダ３に規制されたランス２２，５２により空栓４が係止されていることから、ランス２２，５２に生じる撓みにより空栓４の係止が解けるのを防止して、空栓４をキャビティ２１，５１内に強固に固定できる。このため、ランス２２，５２による空栓４の係止が解けて、空栓４がキャビティ２１，５１から脱落するのを避け、キャビティ２１，５１への異物の進入を十分に防ぐことができる。また、ランス２２，５２よりも先端側に位置する空栓４の外形を小さく抑えて、空栓４の小型化を図ることができる。また、空栓４の先端及び後端をキャビティ２１，５１内に挿入するのに必要な押込力を小さく抑えることができ、空栓４の挿入作業を簡略化することができる。
【００２９】
また、上記実施形態によれば、空栓４の前側係止部４１及び後側係止部４２の外形が、これらの収納位置のキャビティ２１，５１の外形とほぼ等しい形状を有し、かつ、やや大きく形成されていることから、例えば、空栓４の代わりに電線をキャビティ２１，５１内に挿入する場合に比べて、異物の進入を効果的に防止することができる。また、摘み溝４１ａ，４２ａに指をかけて押し込みや引き抜きの操作を行えることから、キャビティ２１，５１への空栓４の着脱を容易に行うことができる。
【００３０】
上記第１の実施形態では、コネクタ２，５が備える挿通口２３，５３に挿通片３２を挿通させて、リアホルダ３がコネクタ２，５に取り付けられた場合について説明した。しかしながら、キャビティ２１，５１の外方へ向けてのランス２２，５２の撓みを規制しつつ、キャビティ２１，５１の端子挿入口側からキャビティ２１，５１の奥方に向けて当接部３１で空栓１を押圧し、ランス２２、５２と当接部３１とで空栓１を挟み込むことができるのであれば、その構成は任意である。例えば、コネクタ２，５の上方を覆うようにしてコネクタ２，５に取り付けられる構成としてもよい。このような構成とする場合、コネクタ２，５の前後方向にスライド自在に、リアホルダ３をコネクタ２，５に取り付ける構成としてもよい。
【００３１】
上記第２の実施形態では、コネクタ２，５が備える挿通口２３，５３に挿通片３２を挿通させて、リアホルダ３がコネクタ２，５に取り付けられた場合について説明した。しかしながら、キャビティ２１，５１の外方へ向けてのランス２２，５２の撓みを規制できるのであれば、その構成は任意である。例えば、コネクタ２，５の上方を覆うようにしてコネクタ２，５に取り付けられる構成としてもよい。このような構成とする場合、コネクタ２，５の前後方向にスライド自在に、リアホルダ３をコネクタ２，５に取り付ける構成としてもよい。
【００３２】
また、空栓１の構成は、キャビティ２１，５１の外方へ向けての撓みを規制されたランス２２，５２と、キャビティ２１，５１の端子挿入口側から進入してきた当接部３１とで挟み込まれて、キャビティ２１内に収納されるのであれば、任意である。つまり、空栓１の形状は、キャビティ２１，５１が備えるランス２２，５２、リアホルダ３が備える当接部３１、及びキャビティ２１，５２の内部の形状に応じて、適宜設定することができる。
【００３３】
また、空栓４の構成は、キャビティ２１，５１の外方へ向けての撓みを規制されたランス２２，５２に係止されて、キャビティ２１，５１内に収納されるのであれば、任意である。つまり、空栓４の形状は、キャビティ２１，５１が備えるランス２２，５２、及びキャビティ２１，５２の内部の形状に応じて、適宜設定することができる。また、摘み溝４１ａ，４２ａは必ずしも備えている必要はない。
【図面の簡単な説明】
【００３４】
【図１】本発明の第１の実施形態のコネクタを示す図であり（ａ）は正面図，（ｂ）は（ａ）のＡ−Ａ線断面図である。
【図２】図１に示すコネクタの挿通口に挿入されるリアホルダを示す図であり、（ａ）は斜視図，（ｂ）は右側面図，（ｃ）は正面図である。
【図３】コネクタが備えるキャビティの端子挿入口を塞ぐ空栓を示す右前方からの斜視図である。
【図４】図３に示す空栓を示す図であり（ａ）は平面図，（ｂ）は左側面図，（ｃ）は正面図である。
【図５】挿通口にリアホルダを挿入されたコネクタと空栓とを示す図であり、（ａ）は後方からの斜視図，（ｂ）は背面図，（ｃ）は図１（ａ）のA−A線断面図である。
【図６】キャビティを空栓で塞がれた図５に示すコネクタを示す図であり、（ａ）は後方からの斜視図，（ｂ）は背面図である。
【図７】キャビティを空栓で塞がれた図５に示すコネクタを示す図であり、（ｃ）は図１（ａ）のA−A線断面図，（ｄ）は図１（ａ）のＢ−Ｂ線断面図である。
【図８】空栓で塞がれたキャビティを示す部分拡大背面図である。
【図９】本発明の第２の実施形態の空栓を示す右前方からの斜視図である。
【図１０】図９に示す空栓を示す図であり、（ａ）は平面図，（ｂ）は右側面図，（ｃ）は正面図である。
【図１１】挿通口にリアホルダを挿入されたコネクタと空栓とを示す図であり、（ａ）は後方からの斜視図，（ｂ）は背面図，（ｃ）は図１（ａ）のＡ−Ａ線断面図である。
【図１２】端子挿入口を空栓で塞がれた図１１に示すコネクタを示す図であり、（ａ）は後方からの斜視図，（ｂ）は背面図である。
【図１３】端子挿入口を空栓で塞がれた図１１に示すコネクタを示す図であり、（ｃ）は図１（ａ）のＡ−Ａ線断面図，（ｄ）は図１（ａ）のＢ−Ｂ線断面図である。
【図１４】コネクタの他の例を示す図であり（ａ）は正面図，（ｂ）は（ａ）のＡ−Ａ線断面図である。
【図１５】挿通口にリアホルダを挿入されたコネクタと空栓とを示す図であり、（ａ）は後方からの斜視図，（ｂ）は背面図，（ｃ）は図１４（ａ）のＡ−Ａ線断面図である。
【図１６】端子挿入口を空栓で塞がれた図１５に示すコネクタを示す図であり、（ａ）は後方からの斜視図，（ｂ）は背面図である。
【図１７】端子挿入口を空栓で塞がれた図１５に示すコネクタを示す図であり、（ｃ）は図１４（ａ）のＡ−Ａ線断面図，（ｄ）は図１４（ａ）のＢ−Ｂ線断面図である。
【符号の説明】
【００３５】
２，５            コネクタ
２１，５１        キャビティ
２１ａ，５１ａ    挿通孔
２１ｂ，５１ｂ    ランス収容孔
２２，５２        ランス
２２ａ，５２ａ    係止面
２２ｂ，５２ｂ    案内面
２３，５３        挿通口
３                リアホルダ
３１              当接部
３２              挿通片
１，４            空栓
１１              本体
１２              膨出部
１２ａ            傾斜面
１２ｂ            被係止面
４ａ              窪み部
４１              前側係止部
４２              後側係止部
４１ａ，４２ａ    摘み溝
【図１】
0004932687.tif 000002
【図２】
0004932687.tif 000003
【図３】
0004932687.tif 000004
【図４】
0004932687.tif 000005
【図５】
0004932687.tif 000006
【図６】
0004932687.tif 000007
【図７】
0004932687.tif 000008
【図８】
0004932687.tif 000009
【図９】
0004932687.tif 000010
【図１０】
0004932687.tif 000011
【図１１】
0004932687.tif 000012
【図１２】
0004932687.tif 000013
【図１３】
0004932687.tif 000014
【図１４】
0004932687.tif 000015
【図１５】
0004932687.tif 000016
【図１６】
0004932687.tif 000017
【図１７】
0004932687.tif 000018